(57)【要約】【課題】有機ＥＬ素子が設けられたファインダー光学系において、吸着剤が画像観察の妨げとなるのを防止する。【解決手段】発光表示部１６は被写体観察のための撮影視野領域２２と、情報表示のための情報表示領域２３を有する。発光表示部１６の透明基板３１上には、複数の陽極２６を設ける。撮影視野領域２２における陽極２６の上には、第１の有機ＥＬ層３３Ｒ、３３Ｇ、３３Ｂを積層する。第１の有機ＥＬ層３３Ｒ、３３Ｇ、３３Ｂの上には、透明電極部から形成される第１の陰極２７ａを積層する。情報表示領域２３においては、陽極２６の上に、第２の有機ＥＬ層３４Ｒ、３４Ｇ、３４Ｂを設ける。第２の有機ＥＬ層３４Ｒ、３４Ｇ、３４Ｂに上には非透明電極部から成る第２の陰極２７ｂを積層する。吸着剤４０は第２の有機ＥＬ層３４Ｒ、３４Ｇ、３４Ｂを挟み込むように透明基板３１の反対側に設ける。【選択図】図３
2007334282.tif 000002
【特許請求の範囲】
【請求項１】
透明基板と、前記透明基板上に設けられた第１の電極と、前記第１の電極の少なくとも一部の上に重ねられて積層された有機発光材料を含む有機ＥＬ層と、前記有機ＥＬ層の上に少なくとも一部が重ねられて積層された第２の電極と、透明材料から成り前記透明基板に対向して設けられるとともに、前記透明基板との間に密閉空間を形成し、前記密閉空間内に前記両電極及び有機ＥＬ層を配置し、これらを封止するための封止部材と、前記密閉空間内に配置される吸着剤とを有し、前記両電極間に電圧が印加されると、前記有機ＥＬ層が発光する発光表示部を備え、前記発光表示部の発光による表示を、被写体を観察するためのファインダー窓から観察させるファインダー装置であって、
前記吸着剤は、前記有機ＥＬ層を挟んで前記透明基板とは反対側に配置されることを特徴とするファインダー装置。
【請求項２】
前記第１及び第２の電極はいずれも透明材料で形成された透明電極部を備えることを特徴とする請求項１に記載のファインダー装置。
【請求項３】
前記第１及び第２の電極のうち少なくともいずれか一方の電極は、非透明材料で形成された非透明電極部を備え、
前記吸着剤は、前記非透明電極部を挟んで前記透明基板とは反対側に配置されることを特徴とする請求項２に記載のファインダー装置。
【請求項４】
前記第１及び第２の電極のうち陽極が前記透明電極部で構成されるとともに、陰極が前記透明電極部と、非透明電極部とで構成されることを特徴とする請求項３に記載のファインダー装置。
【請求項５】
前記封止部材の前記透明基板との対向面の一部には凹陥部が設けられ、前記吸着剤は、前記凹陥部内に配置されることを特徴とする請求項１に記載のファインダー装置。
【請求項６】
前記凹陥部はブラスト加工により成形されることを特徴とする請求項５に記載のファインダー装置。
【請求項７】
前記凹陥部はコの字形状に形成されることを特徴とする請求項５に記載のファインダー装置。
【請求項８】
前記封止部材の前記透明基板との対向面には、周辺部よりも凹陥する第１の凹陥部と、前記第１の凹陥部よりもさらに凹陥し、第１の凹陥部内に設けられた第２の凹陥部とが形成され、
前記第２の凹陥部の内部に前記吸着剤が配置され、
前記封止部材の対向面の周辺部が前記透明基板に接着させられることにより、前記封止部材と前記透明基板の間に密閉空間を形成することを特徴とする請求項１に記載のファインダー装置。
【請求項９】
前記第１の凹陥部はエッチング加工により成形され、その底面は透過面として形成されることを特徴とする請求項８に記載のファインダー装置。
【請求項１０】
前記発光表示部は、前記ファインダー窓に入射する被写体からの光を透過させ、被写体観察に使用される撮影視野領域を含み、
前記封止部材において前記撮影視野領域に対応する部分は前記第１の凹陥部に形成されていることを特徴とする請求項８に記載のファインダー装置。
【請求項１１】
前記発光表示部は、前記ファインダー窓から視認可能なファインダー視野領域と、そのファインダー視野領域の外側に形成され、前記ファインダー窓から視認されないファインダー視野外領域とを含み、
前記吸着剤は、前記ファインダー視野外領域にも配置されることを特徴とする請求項１に記載のファインダー装置。
【請求項１２】
前記発光表示部は、前記ファインダー窓から視認可能なファインダー視野領域を含み、
前記ファインダー視野領域の一部は、遮光部材によって前記発光表示部から前記ファインダー窓に入射される光が遮光される遮光領域であり、
前記吸着剤は前記遮光領域に配置されることを特徴とする請求項１に記載のファインダー装置。
【請求項１３】
前記遮光部材には所定の形状にパターニングされた開口部が設けられるとともに、前記遮光領域には前記有機ＥＬ層が配置され、前記有機ＥＬ層からの光の一部は前記開口部から前記ファインダー窓内に入射され、前記遮光領域に配置された前記有機ＥＬ層の発光表示により各種情報が表示され、前記遮光領域は情報表示領域として構成されることを特徴とする請求項１２に記載のファインダー装置。
【請求項１４】
前記開口部には、位相差板付き偏光板が設けられることを特徴とする請求項１３に記載のファインダー装置。
【請求項１５】
前記透明基板と、封止部材との離間距離は、２５μｍ以上であることを特徴とする請求項１に記載のファインダー装置。
【請求項１６】
前記吸着剤は、透明材料から形成されることを特徴とする請求項１に記載のファインダー装置。
【請求項１７】
前記第１及び第２の電極はいずれも透明材料で形成された透明電極部を備え、
前記吸着剤は、前記第１及び第２の電極の前記透明電極部を挟んで前記透明基板とは反対側に配置されることを特徴とする請求項１６に記載のファインダー装置。
【請求項１８】
被写体からの光が透過する、前記封止部材の両面及び前記透明基板の両面のうち、少なくともいずれか一面に反射防止膜が形成されることを特徴とする請求項１に記載のファインダー装置。
【請求項１９】
前記封止部材の前記透明基板との対向面に少なくとも前記反射防止膜が形成されることを特徴とする請求項１８に記載のファインダー装置。
【請求項２０】
透明基板と、前記透明基板上に設けられた第１の電極と、前記第１の電極の少なくとも一部の上に重ねられて積層された有機発光材料を含む有機ＥＬ層と、前記有機ＥＬ層の上に少なくとも一部が重ねられて積層された第２の電極と、透明材料から成り前記透明基板に対向して設けられるとともに、前記透明基板との間に密閉空間を形成し、前記密閉空間内に前記両電極及び有機ＥＬ層を配置し、これらを封止するための封止部材と、前記密閉空間内に配置される吸着剤とを有し、前記両電極間に電圧が印加されると、前記有機ＥＬ層が発光する発光表示部を備え、前記発光表示部の発光による表示を、被写体を観察するためのファインダー窓から観察させるファインダー装置であって、
前記発光表示部は、前記ファインダー窓から視認可能なファインダー視野領域と、そのファインダー視野領域の外側に形成され、前記ファインダー窓から視認されないファインダー視野外領域とを含み、
前記吸着剤は、前記ファインダー視野外領域に配置されることを特徴とするファインダー装置。
【請求項２１】
透明基板と、前記透明基板上に設けられた第１の電極と、前記第１の電極の少なくとも一部の上に重ねられて積層された有機発光材料を含む有機ＥＬ層と、前記有機ＥＬ層の上に少なくとも一部が重ねられて積層された第２の電極と、透明材料から成り前記透明基板に対向して設けられるとともに、前記透明基板との間に密閉空間を形成し、前記密閉空間内に前記両電極及び有機ＥＬ層を配置し、これらを封止するための封止部材と、前記密閉空間内に配置される吸着剤とを有し、前記両電極間に電圧が印加されると、前記有機ＥＬ層が発光する発光表示部を備え、前記発光表示部の発光による表示を、被写体を観察するためのファインダー窓から観察させるファインダー装置であって、
前記発光表示部は、前記ファインダー窓から視認可能なファインダー視野領域を含み、
前記ファインダー視野領域の一部は、遮光部材によって前記発光表示部から前記ファインダー窓に入射される光が遮光される遮光領域であり、
前記吸着剤は前記遮光領域に配置されることを特徴とするファインダー装置。
【請求項２２】
請求項１乃至２１に記載されたファインダー装置を備えた光学機器。
【発明の詳細な説明】
【技術分野】
【０００１】
本発明は、ファインダー装置、及びそれを備えたカメラ等の光学機器に関する。
【背景技術】
【０００２】
従来、一眼レフカメラにおいて、ペンタプリズムと焦点板の間の被写体結像位置近傍に有機エレクトロルミネセンス素子（以下、有機ＥＬ素子という）が配置されることが知られている。この有機ＥＬ素子は、視野枠内に設けられたフォーカスフレーム等の各種フレームを発光させるとともに、視野枠外に設けられた情報表示部も発光させ、その発光によりシャッター速度、フィルム感度、絞り値等を表示することができる（特許文献１、２等参照）。
【０００３】
特許文献１に記載されるファインダー装置では、有機発光素子の電極が、透明材料で形成された透明電極部と、非透明材料で形成された非透明電極部とを含み、非透明電極部によってファインダー内に遮光表示部が形成されている。すなわち、遮光表示部を、表示したい領域のフレーム枠などの表示部としてパターニングして形成することで、フレーム枠をケガキ線によって焦点板上等に描写する必要がなくなるというメリットがある。
【０００４】
有機ＥＬ素子は、通常、透明基板と封止部材の間で密閉空間が形成され、この密閉空間において有機発光材料から形成される有機ＥＬ層が、陰極と陽極によって挟持されて構成される。ここで上記密閉空間内には、有機ＥＬ素子の各構成部品の表面に吸着している水分や密閉空間内に侵入した水分を除去するために、吸着剤が設けられるべきである。しかし、吸着剤の配置位置について検討はなされていない。
【特許文献１】特許第３５３９２５１号公報
【特許文献２】特開２０００−２２１５７８号公報
【発明の開示】
【発明が解決しようとする課題】
【０００５】
ところで、特許文献１、２等に記載される有機ＥＬ素子は上述したように被写体結像位置に配置されているので、遮光表示部以外の部材は、被写体観察の妨げにならないように、透過性の高い材質で形成しなければならない。
【０００６】
しかし、密閉空間に配置される吸着剤は、透過性を有していないものを使用することが一般的であり、例えば封止部材の対向面全体に吸着剤を配置すると、吸着剤が被写体観察の妨げとなってしまう恐れがある。
【０００７】
また、封止部材を配置するために封止部材に凹陥部が設けられることが考えられ、凹陥部はブラスト加工によって形成されることが一般的である。しかし、ブラスト加工によって形成された凹陥部は、透過性が低く、吸着剤と同様に、被写体観察の妨げとなってしまうおそれがある。
【０００８】
そこで、本発明は上記問題点に鑑みて成されたものであり、封止部材によって封止された密閉空間において、吸着剤の構成や配置位置を改良することにより、吸着剤が被写体観察の妨げとなることを防止することを目的としたものである。
【課題を解決するための手段】
【０００９】
本発明に係るファインダー装置は、透明基板と、透明基板上に設けられた第１の電極と、第１の電極の少なくとも一部の上に重ねられて積層された有機発光材料を含む有機ＥＬ層と、有機ＥＬ層の上に少なくとも一部が重ねられて積層された第２の電極と、透明材料から成り透明基板に対向して設けられるとともに、透明基板との間に密閉空間を形成し、密閉空間内に両電極及び有機ＥＬ層を配置し、これらを封止するための封止部材と、密閉空間内に配置される吸着剤とを有し、両電極間に電圧が印加されると、有機ＥＬ層が発光する発光表示部を備え、発光表示部の発光による表示を、被写体を観察するためのファインダー窓から観察させるファインダー装置であって、吸着剤が、有機ＥＬ層を挟んで透明基板とは反対側に配置されることを特徴とする。
【００１０】
第１及び第２の電極はいずれも透明材料で形成された透明電極部を備えるとともに、第１及び第２の電極のうち少なくともいずれか一方の電極は、非透明材料で形成された非透明電極部を備えることが好ましい。第１及び第２の電極のうち陽極が例えば透明電極部で構成されるとともに、陰極が例えば透明電極部と、非透明電極部とで構成される。そして、吸着剤は、非透明電極部を挟んで透明基板とは反対側に配置されることが好ましい。このような構成によれば、透明基板側から見ると、吸着剤が非透明電極部に重ねられて配置されるので、吸着剤が画像観察の妨げとなることが防止される。
【００１１】
封止部材の対向面の一部には凹陥部が設けられ、吸着剤は、凹陥部内に配置されることが好ましく、凹陥部は例えばブラスト加工により成形される。また、凹陥部は例えばコの字形状に形成される。
【００１２】
封止部材の透明基板との対向面には、周辺部よりも凹陥する第１の凹陥部と、第１の凹陥部よりもさらに凹陥し、第１の凹陥部内に設けられ、吸着剤が内部に配置される第２の凹陥部とが形成されていても良い。この場合、封止部材の対向面の周辺部が透明基板に、接着させられることにより、封止部材と透明基板の間に密閉空間を形成される。第１の凹陥部はエッチング加工により成形され、その底面が透過面として形成されることが好ましい。
【００１３】
発光表示部は、ファインダー窓に入射する被写体からの光を透過させ、被写体観察に使用される撮影視野領域を含む。そして、封止部材において撮影視野領域に対応する部分は第１の凹陥部に形成されていることが好ましい。
【００１４】
発光表示部は例えば、ファインダー窓から視認可能なファインダー視野領域と、そのファインダー視野領域の外側に形成され、ファインダー窓から視認されないファインダー視野外領域とを含む。そして、吸着剤は、ファインダー視野外領域にも配置されても良い。また、ファインダー視野領域の一部は、遮光部材によって発光表示部からファインダー窓に入射される光が遮光される遮光領域である場合、吸着剤は遮光領域に配置されていても良い。遮光部材には所定の形状にパターニングされた開口部が設けられるとともに、遮光領域には有機ＥＬ層が配置され、有機ＥＬ層からの光の一部は開口部からファインダー窓内に入射されても良い。この場合、遮光領域に配置された有機ＥＬ層の発光表示により各種情報が表示され、遮光領域は情報表示領域として構成される。以上のような構成により、吸着剤を遮光領域やファインダー視野外領域に設けることによって、吸着剤がファインダー窓から視認できなくなるので、吸着剤が画像観察の妨げとなることが防止される。また、開口部には位相差板付き偏光板が設けられても良い。
【００１５】
吸着剤は、透明材料から形成されていても良い。この場合、第１及び第２の電極はいずれも透明材料で形成された透明電極部を備え、吸着剤は、第１及び第２の電極の透明電極部を挟んで透明基板とは反対側に配置されたほうが良い。このように、吸着剤が透明材料から形成される場合には、吸着剤が透明電極部に挟持された有機ＥＬ層に重ねられて設けられても、画像観察の妨げとなることはない。
【００１６】
透明基板と、封止部材との離間距離は、干渉縞の発生を抑える観点から２５μｍ以上であったほうが良い。同様に干渉縞の発生を抑える観点から、被写体からの光が透過する、透明基板の両面及び封止部材の両面のうち、少なくともいずれか一面に反射防止膜が形成されていたほうが良く、特に封止部材の透明基板との対向面に反射防止膜が形成されていることが好ましい。
【発明の効果】
【００１７】
本発明では、ファインダー内に有機ＥＬ素子から構成される発光表示部が設けられる場合に、吸着剤の配置や構成を改良することにより、吸着剤が画像観察の妨げとなることが防止される。
【発明を実施するための最良の形態】
【００１８】
以下本発明の実施形態について図面を用いて詳細に説明する。
図１は、本実施形態が適用された一眼レフカメラのファインダー装置を示す。なお、以下の説明においては、一眼レフカメラに適用された場合を説明するが、本発明は、顕微鏡、コンパクトカメラ等のその他の光学機器にも適用することが可能である。
【００１９】
ファインダー装置１０は、対物レンズ１１と、クイックリターンミラー１２と、ピント板１３と、ペンタプリズム１４と、接眼レンズ１５と、発光表示部１６と、ファインダー窓１７とを備える。
【００２０】
被写体で反射された反射光は、対物レンズ１１を介して、クイックリターンミラー１２で反射され、ピント板１３に導かれ、ピント板１３で一旦結像される。その後上記反射光は、ペンタプリズム１４で２回反射され、接眼レンズ１５を介してファインダー窓内１７に入射される。クイックリターンミラー１２はレリーズスイッチ（不図示）が押されると、光路上から退避させられ、対物レンズ１１によって導かれた反射光は、ＣＣＤやフィルム等に導かれ、これらを露光する。
【００２１】
発光表示部１６は、有機ＥＬ素子から構成され、ピント板１３と、ペンタプリズム１４の間で、被写体からの光が通過する光路に交差する横断領域上に配置される。すなわち、発光表示部１６は被写体結像位置近傍に配設される。発光表示部１６から発せられた光も、ペンタプリズム１４、接眼レンズ１５を介してファインダー窓１７内に入射される。なお、発光表示部１６は、クイックリターンミラー１２とピント板１３の間に配置することも可能である。
【００２２】
発光表示部１６の模式的な平面図を図２に示す。発光表示部１６は、矩形のファインダー視野領域２１と、ファインダー視野領域２１の上下左右の外側を囲み、枠状に形成されたファインダー視野外領域２４とを備える。ファインダー視野領域２１は、ファインダー窓１７から視認可能であるが、ファインダー視野外領域２４はファインダー窓１７から視認することができない領域である。
【００２３】
矩形のファインダー視野領域２１は、被写体を観察するための矩形の撮影視野領域２２と、その撮影視野領域２２の下側に隣接して設けられる矩形の情報表示領域２３とから構成される。撮影視野領域２２は被写体からの反射光が入射し、透過される領域であって、被写体観察に使用される領域である。一方、情報表示領域２３には被写体からの反射光が入射されず、情報表示領域２３では被写体を観察することはできない。
【００２４】
図３に示すように、発光表示部１６は、透明基板３１と、透明基板３１に対向して設けられる封止部材３２と、透明基板３１と封止部材３２の間に配置される陽極２６、第１及び第２の陰極２７ａ、２７ｂと、陽極２６と陰極２７ａ、２７ｂの間に積層される第１及び第２の有機ＥＬ層３３Ｒ、３３Ｇ、３３Ｂ、３４Ｒ、３４Ｇ、３４Ｂと、封止部材３２に設けられた吸着剤４０を備える。なお、発光表示部１６において、透明基板３１が接眼側に、封止部材３２が対物側に配置される。
【００２５】
透明基板３１はガラス及び合成樹脂等の透明材料から形成されると共に、封止部材３２も同様にガラス及び合成樹脂等の透明材料から板状に形成される。透明基板３１と封止部材３２は、透明基板３１の上面３１Ｕの周辺部に積層された接着剤層３５を介して互いに接着され、透明基板３１及び封止部材３２の間には密閉空間３９が形成される。密閉空間３９内には電極２６、２７ａ、２７ｂ及び第１及び第２の有機ＥＬ層が配置され、これらは、封止部材３２によって封止されている。接着剤層３５は、図３に示すようにファインダー視野外領域２４に配置される。なお、接着剤層３５は、図３においては接着剤のみから成るように模式的に示されるが、下述するように離間距離Ｄ、すなわち接着剤層３５の高さは２５μｍ以上となる。したがって、接着剤のみから構成することは通常困難であるので、接着剤層３５は、例えばスペーサを有し、そのスペーサが透明基板３５の上面３１Ｕ及び封止部材３２の対向面３２Ａに接着剤によって接着されて構成される。
【００２６】
撮影視野領域２２において、透明基板３１の上面３１Ｕには、複数の陽極２６が積層されて設けられる。各陽極２６は、図２に示すように細長の矩形に形成され、図２において上下に延び、互いに平行に設けられる。陽極２６は例えばITO（Indium Tin Oxide）、ATO(antimony doped tindioxide)、ZnO（zinc oxide）等の透明導電性金属化合物から形成される。撮影視野領域２２において、各陽極２６の上面には、第１の有機ＥＬ層３３Ｒ、３３Ｇ、３３Ｂが積層される。有機ＥＬ層３３Ｒ、３３Ｇ、３３Ｂは、陽極２６が延びる方向に沿って、同一の陽極２６上にこの順で繰り返し並べられると共に、陽極２６の幅方向においても同様に、この順で繰り返し並べられる。第１の有機ＥＬ層３３Ｒ、３３Ｇ、３３Ｂは、陽極２６側から順に例えば正孔輸送材料で構成される正孔輸送層、有機発光材料で構成される有機発光層、電子輸送材料で構成される電子輸送層等が積層されて構成され、それぞれ赤、緑、青色の光を発するように構成される。
【００２７】
第１の有機ＥＬ層３３Ｒ、３３Ｇ、３３Ｂの上には、それぞれ第１の陰極２７ａが重ねられて積層される。第１の陰極２７ａは被写体観察の妨げとならないように、透明電極から構成される。第１の陰極２７ａは例えばITO、ATO、ZnO等の透明導電性金属化合物のみから形成されても良いが、好ましくは以下に示すように２層構造で形成される。
【００２８】
すなわち、第１の陰極２７ａは、有機ＥＬ層の上に積層される第１の陰極層と、第１の陰極層の上に積層される第２の陰極層とによって構成されることが好ましい。第１の陰極層は、例えばアルミニウム、インジウム、マグネシウム、カルシウム、チタニウム、イットリウム、リチウム、及びこれらの合金等の非透過性の陰極金属材料から形成されるとともに、第２の陰極層は、ITO、ATO、ZnO等の透明導電性金属化合物から形成される。第１の陰極層は非透過性物質によって構成されるが、その層厚が例えば１００Å以下に設定されることにより、実質的に透過性を有し、これにより第１の陰極２７ａは実質的に透過性を有する。なお、この場合、第１の陰極層と各有機ＥＬ層の間には、電子注入層が積層されていたほうが良い。電子注入層は例えばLiFによって形成され、その厚さは例えば７Åである。なお、第２の陰極層の厚さは例えば２０００Åである。
【００２９】
第１の陰極２７ａがITO等の透明導電性金属化合物のみから形成されると仕事関数が高くなり電子の注入性が低下する。しかし、第１の陰極２７ａが第１及び第２の陰極層から構成され、かつ第１の陰極層に上述したような低仕事関数の陰極金属材料が用いられる場合、電子の注入性の低下を最小限に抑制することができる。
【００３０】
情報表示領域２３においても撮影視野領域２２と同様に、透明基板３１の上面３１Ｕには、図２に示すように上下方向に延びる複数の矩形の陽極２６が積層され、陽極２６の上には、第２の有機ＥＬ層３４Ｒ、３４Ｇ、３４Ｂが積層される。第２の有機ＥＬ層３４Ｒ、３４Ｇ、３４Ｂも、それぞれ赤、緑、青色の光を発するように構成される。
【００３１】
第２の有機ＥＬ層３４Ｒ、３４Ｇ、３４Ｂの上には、それぞれ第２の陰極２７ｂが重ねられて積層される。情報表示領域２３においては、被写体からの光が入射されず、また被写体からの光を透過させる必要がないので、第２の陰極２７ｂは非透明電極部から構成される。すなわち、第２の陰極２７ｂは上記非透過性の陰極金属材料から形成される。非透明電極部は、透明電極部より仕事関数が低く、透明電極部より電子の注入性に優れるため、第２の有機ＥＬ層３４Ｒ、３４Ｇ、３４Ｂの発光効率は、第１の有機ＥＬ層３３Ｒ、３３Ｇ、３３Ｂの発光効率より高くなる。
【００３２】
撮影視野領域２２には赤、緑、青色の光を発する多数の第１の有機ＥＬ層３３Ｒ、３３Ｇ、３３Ｂが設けられるため、第１の有機ＥＬ層３３Ｒ、３３Ｇ、３３Ｂによって撮影視野領域２２にはフルカラー画像を表示可能である。また、第１の有機ＥＬ層３３Ｒ、３３Ｇ、３３Ｂ、陽極２６、及び第１の陰極２７ａは全て透明材料で形成されるため、被写体からの光が撮影視野領域２２で遮光されない。したがって、第１の有機ＥＬ層３３Ｒ、３３Ｇ、３３Ｂが発光しないときは、撮影視野領域２２を透過した被写体からの反射光を、ファインダー窓１７から観察画像として視認可能である。勿論、複数の第１の有機ＥＬ層３３Ｒ、３３Ｇ、３３Ｂのうち、いくつかの有機ＥＬ層を発光させ、被写体の観察と、発光表示部１６によって表された画像の観察とを同時に行うことも可能である。
【００３３】
情報表示領域２３にも同様に第２の有機ＥＬ層３４Ｒ、３４Ｇ、３４Ｂによってフルカラー画像が表示される。情報表示領域２３には、被写体観察と同時に表示すべき情報が表示され、例えばシャッター速度、フィルム感度、絞り値等が表示される。
【００３４】
封止部材３２の透明基板３１の上面３１Ｕに対向する対向面３２Ａには、その対向面３２Ａから凹陥する凹陥部３８が設けられる。凹陥部３８は、例えばブラスト加工（例えばサンドブラスト加工）により形成され、その内周面はスリ加工面となる。凹陥部３８の内部には、吸着剤４０が配置され、吸着剤４０は例えば接着剤によって封止部材３２の内周面に接着される。
【００３５】
吸着剤４０としては、例えば酸化バリウム、酸化カルシウム、モレキュラーシーブス、シリカゲル等の非透明材料から成る吸着剤や、式（１）に示すようなアルミニウム錯体を主成分とする透明材料から成る吸着剤を使用することができる。透明材料から成る吸着剤４０は、例えばOleDry（商品名（登録商標）．双葉電子工業株式会社製）として商業的に入手可能である。
【００３６】
【化１】
2007334282.tif 000003
【００３７】
凹陥部３８は、その内面がスリ加工面であり、非透過面として形成されるため、画像観察の妨げとなる。さらに、吸着剤４０が非透明材料である場合、同様に吸着剤４０は画像観察の妨げとなる。したがって、凹陥部３８及び吸着剤４０は、透明基板３１（すなわち、ファインダー窓１７）側から視認できないようにする必要がある。
【００３８】
そこで、本実施形態では、凹陥部３８及び吸着剤４０は、第２の発光層３４Ｒ、３４Ｇ、３４Ｂ及び第２の陰極２７ｂを挟んで透明基板３２とは反対側に配置される。すなわち、凹陥部３８は、透明基板３１の下面３１Ｄ側から見ると、陰極２７の非透明電極部に重ねられて配置され、情報表示領域２３に配置される。これにより、凹陥部３８は図２に示すように、平面図においては情報表示領域２３に沿って矩形状に形成され、その占有面積は情報表示領域２３より小さい。
【００３９】
凹陥部３８を非透明電極部に重ねて配置すると、ファインダー窓１７から撮影視野領域を観察したとき、凹陥部３８及び吸着剤４０は非透明電極部に隠れてほとんど見えなくなるので、凹陥部３８及び吸着剤４０が画像観察の妨げとなることはない。なお、本実施形態では、凹陥部３８及び吸着剤４０は被写体からの光が透過されない情報表示領域２３に配置されるので、被写体からの光が遮光されることもなく、被写体観察の妨げとなることもない。
【００４０】
また、本実施形態では、凹陥部３８及び吸着剤４０が、第２の有機ＥＬ層と同じ領域（情報表示領域２３）に配置されたことにより、凹陥部３８及び吸着剤４０が配置されるための特別な領域を設けなくても良いので、発光表示部の面積を小さくすることができる。
【００４１】
さらに本実施形態においては、撮影視野領域２２に凹陥部３８が設けられないため、撮影視野領域２２において、封止部材３２の対向面３２Ａと、透明基板の上面３１Ｕとの離間距離Ｄは、短くすることができ、発光表示部１６の厚さを小さくすることができる。しかし、離間距離Ｄが短すぎると、上面３１Ｕと対向面３２Ａによって反射された光によって干渉縞が生じる場合があるので、離間距離Ｄは２５μｍ以上であることが好ましい。
【００４２】
図４乃至６は本発明の第２の実施形態を示すための図である。第１の実施形態では、有機ＥＬ素子はパッシブマトリックス駆動により駆動されたが、本実施形態ではスタティック駆動、またはセグメント駆動で駆動される。
【００４３】
発光表示部１６は、第１の実施形態と同様に矩形のファインダー視野領域２１と、ファインダー視野外領域２４とを備える。本実施形態では、情報表示領域２３は、ファインダー視野領域２１の右下の領域に横長の略矩形状を呈して設けられるとともに、ファインダー視野領域２１の情報表示領域２３以外の部分は、被写体からの光が入射・透過され、被写体を観察するための撮影視野領域２２として構成される。
【００４４】
情報表示領域２３にはシンボルマーク、アイコン、図、記号等のキャラクタを表示するためのキャラクタ表示部２８と、文字（特に数字）を表示するためのセグメント表示部２９が設けられる。なお、本実施形態では、情報表示領域２３には、シンボルマークを発光表示するための３つのキャラクタ表示部２８と、複数の数字を表示するためのセグメント表示部２９が設けられる。
【００４５】
情報表示領域２３は、後述するように開口部５１が設けられた部分以外は、遮光マスク５０によって、発光表示部１６及び被写体からファインダー窓１７（図１参照）に入射される光が遮光される遮光領域として構成される。
【００４６】
ファインダー視野領域２１には、複数の合焦ポイント２５が設けられる。合焦ポイント２５は、上下方向における中央位置に５つのポイントが左右に等間隔に並べられると共に、その中央位置に設けられた５つのポイントのうち、中央の３つのポイントの上方、及び下方それぞれに、左右に等間隔に並べられた３つのポイントが設けられる。すなわち、合焦ポイント２５は、ファインダー視野領域の中央領域において左右方向、上下方向にそれぞれ等間隔に９つ設けられるとともに、その中央領域の左右の領域にそれぞれ１つずつ設けられる。
【００４７】
各合焦ポイント２５は、それぞれ独立して積層された第１の有機ＥＬ層１３３（図５、６参照）から構成され、それぞれ独立に発光可能である。本実施形態における一眼レフカメラでは、例えばオートフォーカスで撮影されるとき、各合焦ポイント２５の位置における測距が行われ、ピントが合った１つの合焦ポイント２５が発光させられる。
【００４８】
各キャラクタ表示部２８、及びセグメント表示部２９は、第２の有機ＥＬ層１３４（図５、６参照）から構成される。ここで、第２の有機ＥＬ層１３４は、各キャラクタ表示部２８に対応して、それぞれ独立に積層されるため、各キャラクタ表示部２８は独立に発光可能である。また、第２の有機ＥＬ層１３４は、セグメント表示部２９の各セグメントに対応してそれぞれに独立に積層されるため、各セグメントは独立に発光可能であり、これによりセグメント表示部２９はセグメント駆動で制御される。第２の有機ＥＬ層１３４が発光することにより、キャラクタ、数字等が発光表示される。
【００４９】
図６に示すように、発光表示部１６の接眼側には情報表示領域２３に配置された遮光マスク５０が設けられる。遮光マスク５０は、各セグメントやキャラクタの形状に応じてパターニングされた開口部５１が設けられる。第２の有機ＥＬ層１３４が発光すると、キャラクタや各セグメントに応じた光が開口部５１から出射され、ファインダー窓１７においてキャラクタや数字を観察することができる。
【００５０】
図４に示すように、合焦ポイント２５それぞれには、第１の有機ＥＬ層１３３（図５、６参照）に電圧を印加するための陽極線１２６ａ、及び陰極線１２７ａが接続される。図４において、陽極線１２６ａは点線で、陰極線１２７ａは一点鎖線で模式的に示す。ただし、図４において、ファインダー視野外領域２４における陽極線１２６ａ、陰極線１２７ａは省略して表示する。
【００５１】
陽極線１２６ａ及び陰極線１２７ａは、それぞれファインダー視野外領域２４に設けられた電源（不図示）から延ばされて、各合焦ポイント２５の第１の有機ＥＬ層１３３に接続される。ここで、陽極線１２６ａは電源から１１本それぞれ独立に延ばされ、各陽極線１２６ａはそれぞれ各合焦ポイント２５に設けられた第１の有機ＥＬ層１３３に接続される。一方、陰極線１２７ａは電源（不図示）から１本延ばされると共に、ファインダー視野領域２１内で１１本の陰極線１２７ａに分岐され、その分岐された１１本の陰極線１２７ａは、各合焦ポイント２５に設けられた第１の有機ＥＬ層１３３に接続される。本実施形態では、各陽極線１２６ａへの電流入力の有無、及び電流量が調整されることにより、各合焦ポイント２５の発光の有無、及び発光量それぞれが独立に制御される。キャラクタ表示部２８、及びセグメント表示部２９を構成する第２の有機ＥＬ層１３４（図６参照）にも陽極線（不図示）、陰極線（不図示）が接続され、同様に各キャラクタ表示部２８及び各セグメントそれぞれは、発光の有無、及び発光量が独立に制御される。
【００５２】
各陽極線１２６ａの先端部は、図５に示すように各合焦ポイント２５まで延ばされ、各陽極線１２６ａの先端部は略方形の陽極端子部１２６ｂに成形される。すなわち、本実施形態では陽極１２６は、陽極線１２６ａと、その陽極線１２６ａと一体的に成形される陽極端子部１２６ｂとによって構成される。
【００５３】
撮影視野領域２２に配置される陽極端子部１２６ｂの上方には、第１の有機ＥＬ層１３３が重ねられて積層される。第１の有機ＥＬ層１３３は、図５に示すように陽極端子部１２６ｂから上下左右にはみ出して積層され、その一部は透明基板３１上にも積層される。第１の有機ＥＬ層１３３の上には、さらに図５に示すように略矩形の陰極端子部１２７ｂが重ねられて積層される。陰極端子部１２７ｂは、その一部が第１の有機ＥＬ層１３３からはみ出して、陰極線１２７ａの上面にも重ねられて積層され、これにより、陰極端子部２７ｂは陰極線１２７ｂに接続される。すなわち、本実施形態では陰極１２７は、陰極線２７ａと、その陰極線１２７ａと別体に成形される陰極端子部１２７ｂによって構成される。
【００５４】
キャラクタ表示部２８においても同様に、陽極端子部１２６ｂの上に第２の有機ＥＬ層１３４が重ねられて積層されるとともに、第２の有機ＥＬ層１３４の上にさらに陰極端子部１２７ｂが積層されて構成される。第２の有機ＥＬ層１３４に重ねられて設けられる端子部１２６ｂ、１２７ｂもそれぞれ陽極線、陰極線に接続されている。セグメント表示部２９においても同様に、陽極端子部１２６ｂ、第２の有機ＥＬ層１３４、陰極端子部１２７ｂが積層されて構成される。
【００５５】
陽極１２６（すなわち、陽極線１２６ａ及び陽極端子部１２６ｂ）、及び陰極線１２７ａは、ITO、ATO、ZnO等の透明導電性金属化合物から形成される。すなわち、陽極線１２６ａ及び陰極線１２７ａは、透明材料から形成される透明電極部として構成される。陽極線１２６ａ及び陰極線１２７ａは、撮影視野領域２２に設けられるが、透明電極部から構成されるので、被写体観察を妨げることはない。
【００５６】
一方、陰極端子部１２７ｂは、第１及び第２の有機ＥＬ層１３３、１３４への電子の注入性の低下を防止するために、上記した非透過性の陰極金属材料で形成され、陰極端子部１２７ｂは、非透明電極部として構成される。第１の有機ＥＬ層１３３上に積層された陰極端子部１２７ｂは、ファインダー窓１７から視認され、合焦ポイント２５を表示するための遮光表示部として使用される。したがって、本実施形態では、ピント板等に合焦ポイント２５を描写しなくても良い。
【００５７】
第１及び第２の有機ＥＬ層１３３、１３４は、例えば陽極端子部１２６ｂ側から順に、正孔輸送層、有機発光層、電子輸送層等が積層されて構成される。有機発光層は、適宜、赤、緑、青、白色等の色の光を発するように構成される。
【００５８】
第１の実施形態と同様に、封止部材３２の対向面３２Ａには、凹陥部３８が設けられ、凹陥部３８の内部には、吸着剤４０が配置される。ここで凹陥部３８は、その内面がスリ加工面で形成され、非透過面として形成されるため、画像観察の妨げとなる。
【００５９】
そこで、本実施形態でも、凹陥部３８及び吸着剤４０は情報表示領域２３に配置され、第２の発光層１３４及び陰極端子部１２７ｂを挟んで透明基板３１とは反対側に配置される。すなわち、透明基板３１側から見ると、第２の発光層１３４及び陰極端子部１２７ｂに重ねられるように配置される。これにより、凹陥部３８及び吸着剤４０は陰極端子部１２７ｂ（非透明電極部）により隠され、ファインダー窓１７からほとんど視認されない。また、情報表示領域２３は被写体観察のためには使用されない領域であるので、凹陥部３８が設けられても、被写体観察の妨げとなることはない。
【００６０】
なお、情報表示領域２３には、第２の有機ＥＬ層１３４（すなわち、非透明電極部）が積層されない領域が存在するが、その領域は第２の有機ＥＬ層１３４からの光を透過させる必要がないので開口部５１が設けられず、遮光マスク５０によって遮光されている。したがって、凹陥部３８及び吸着剤４０は、非透明電極部及び遮光マスク５０によって完全に覆われ、ファインダー窓１７から観察されることはない。
【００６１】
以上のように、本実施形態では、凹陥部３８及び吸着剤４０が遮光マスク５０及び陰極端子部１２７ｂに重ねられたことにより、画像観察の妨げとなることが防止される。また、凹陥部３８及び吸着剤４０が、第２の有機ＥＬ層を挟んで透明基板３１とは反対側に配置されたことにより、凹陥部３８及び吸着剤４０を設けるための特別な領域を設けなくても良いので、発光表示部の面積を小さくすることができる。
【００６２】
なお、本実施形態では、第１の有機ＥＬ層１３３に重ねられる陰極端子部１２７ｂも同様に非透明電極部から成るが、第２の有機ＥＬ層１３４に重ねられる陰極端子部１２７ｂに比べ、その占有面積が狭いため、本実施形態では凹陥部３８及び吸着剤４０は第２の有機ＥＬ層１３４を挟んで透明基板３１とは反対側に配置される。
【００６３】
図７、８は本実施形態の第３の実施形態に係る発光表示部を示すための平面図、断面図である。
【００６４】
第２の実施形態では、ファインダー窓１７から視認可能なファインダー視野領域２１において、情報表示領域（遮光領域）２３は右下に矩形状に設けられるが、第３の実施形態ではファインダー視野領域２１において、情報表示領域２３は撮影視野領域２２の上下右を取り囲むように設けられる。以下、本実施形態について第２の実施形態との相違点を中心に説明する。
【００６５】
撮影視野領域２２の下側に隣接する情報表示領域２３には、３つのキャラクタ表示部２８と、セグメント表示部２９が設けられると共に、撮影視野領域２２の右側に隣接する情報表示領域２３には３つのキャラクタ表示部２８が設けられる。
【００６６】
図８に示すように透明基板３１の下面３１Ｄに遮光マスク５０が被覆され、透明基板３１側から見ると、遮光マスク５０が重ねられた領域が情報表示領域２３として形成される。遮光マスク５０において、ファインダー窓１７から見ると第２の有機ＥＬ層１３４に重ねられた部分には、所定の形状にパターニングされた開口部５１が設けられ、第１の実施形態と同様に第２の有機ＥＬ層１３４から発せられた光は開口部５１を通って、キャラクタや数字が発光表示される。
【００６７】
ここで、遮光マスク５０は図７に示すように撮影視野領域２２の下、右、上側に設けられるため、略コの字状を呈し、遮光マスク５０によって形成された情報表示領域２３も略コの字状を呈する。封止部材３２に設けられた凹陥部３８は情報表示領域２３内に配置され、情報表示領域２３に沿うように撮影視野領域２２を取り囲んで設けられ、図７に示すように上方から見ると略コの字状に形成される。これにより、凹陥部３８内に配置される吸着剤４０もコの字状に配置される。
【００６８】
凹陥部３８が撮影視野領域２２を取り囲んでコの字状に形成されると、凹陥部３８が設けられる面積が広がるため、凹陥部３８内に配置される吸着剤４０を密閉空間３９内に多く配置させることが可能である。
【００６９】
本実施形態においても、吸着剤４０及び凹陥部３８は、第２の有機ＥＬ層１３４及び陰極端子部１２７ｂ（非透明電極部）又は遮光マスク５０に重ねられて設けられるため、本実施形態においてもファインダー窓１７から吸着剤４０又は凹陥部３８が視認されることはない。また、ファインダー視野領域２１内に配置されるので、発光表示部１６の面積を最小限に抑えることができる。
【００７０】
なお、本実施形態ではファインダー視野領域２１内に設けられた情報表示領域２３は、撮影視野領域２２の上下左右を取り囲む四角枠状に形成されても良く、この場合、凹陥部３８も情報表示領域２３に合わせて、上方から見ると四角枠状に形成されても良い。
【００７１】
図９は本発明の第４の実施形態に係る情報表示領域２３の構成を示す図である。第３の実施形態では、凹陥部３８及び吸着剤４０は、情報表示領域２３にしか設けられていなかったが、本実施形態では、情報表示領域２３及びファインダー視野外領域２４のいずれにも設けられる。以下、第４の実施形態について詳細に説明する。
【００７２】
図９に示すように、本実施形態においては、遮光マスク５０はＬ字形状に設けられ、これによりファインダー視野領域２１は、矩形状の撮影視野領域２２と、撮影視野領域２２の右側、下側に隣接して設けられ、Ｌ字形状を呈する情報表示領域２３から成る。ファインダー視野外領域２４は、第１及び第２の実施形態と同様にファインダー視野領域２１の上下左右の外側を囲むように枠状に設けられる。
【００７３】
本実施形態においても、封止部材３２には吸着剤４０を内部に配置するための凹陥部３８が設けられる。凹陥部３８は、第３の実施形態と同様に上方から見るとコの字形状に形成され、ファインダー視野領域２１の上側のファインダー視野外領域２４と、ファインダー視野領域２１の右側及び下側に配置される情報表示領域２３とに配置される。
【００７４】
このように、凹陥部３８及び吸着剤４０は撮影視野領域２２の外側に設けられるので、凹陥部３８及び吸着剤４０はファインダー窓１７から視認されず、被写体観察の妨げとなることはない。なお、本実施形態では、吸着剤４０を配置させるための凹陥部３８は、全てファインダー視野外領域２４に配置されても良い。
【００７５】
図１０、１１は本発明の第５の実施形態を示すための図である。第１乃至第４の実施形態においては、封止部材３２に凹陥部３８が設けられ、吸着剤４０は凹陥部３８内に配置されたが、本実施形態では、封止部材３２には凹陥部３８が設けられず、吸着剤４０は封止部材３２の対向面３２Ａに被覆されて形成される。
【００７６】
本実施形態では、図１０に示すように、矩形のファインダー視野領域２１は、被写体を観察するための撮影視野領域２２から成り、ファインダー視野領域２１の周辺には、第１乃至第４の実施形態と同様にファインダー窓１７からは視認されない枠状のファインダー視野外領域２４が設けられる。
【００７７】
撮影視野領域２２には、第１の実施形態と同様に、複数の陽極２６上に第１の有機ＥＬ層３３Ｒ、３３Ｇ、３３Ｂが重ねられて積層され、各第１の有機ＥＬ層３３Ｒ、３３Ｇ、３３Ｂの上に、第１の陰極２７ａが重ねられて積層されて構成される。吸着剤４０は封止部材３２の対向面３２Ａのほぼ全ての領域に亘って被覆して設けられ、第１の有機ＥＬ層３３Ｒ、３３Ｇ、３３Ｂ、陽極２６、及び陰極２７ａを挟んで透明基板３１とは反対側に配置される。すなわち、吸着剤４０は透明基板３１の下面３１Ｄ側から見ると第１の有機ＥＬ層３３Ｒ、３３Ｇ、３３Ｂに重ねられて設けられる。
【００７８】
第１の有機ＥＬ層３３Ｒ、３３Ｇ、３３Ｂ、陽極２６、及び第１の陰極２７ａは第１の実施形態と同様に透明材料から成る。また、本実施形態では、吸着剤４０としては例えばアルミニウム錯体を主成分とする吸着剤が使用され、透明材料から成る。したがって、被写体から反射された光は、撮影視野領域２２において、有機ＥＬ層、陰極、陽極、吸着剤で遮光されることなく、ファインダー窓１７に入射される。また、撮影視野領域２２においては、有機ＥＬ層３３Ｒ、３３Ｇ、３３Ｂによって第１の実施形態と同様にフルカラー画像表示が可能である。すなわち、本実施形態でも、撮影視野領域２２は、画像が表示するための画像表示部として使用されると共に、被写体観察のためにも使用される。
【００７９】
以上のように本実施形態でも、発光表示部において、有機ＥＬ層と同一の領域において重ねられた吸着剤４０が設けられるため、吸着剤４０が配置されるための特別な領域を設けなくても良いので、発光表示部の小型化が図れる。また、吸着剤４０は透明材料から形成されるので、吸着剤４０が被写体観察の妨げとなることはない。
【００８０】
図１２は、本発明の第６の実施形態について説明するための図である。なお、本実施形態の発光表示部１６の構成は、反射防止膜５２が設けられたこと以外は、第２の実施形態と同様であるが、勿論これに限定されるわけではない。
【００８１】
上述したように、第１乃至４の実施形態において、封止部材と、透明基板との離間距離を短くすると、光学的干渉が起こり易く、光学的精度で均一さが保たれていない場合、干渉縞が観察されることがある。そこで、本実施形態においては、透明基板３１の上下面３１Ｕ、３１Ｄ、及び封止部材３２の対向面３２Ａ、上面３２Ｕに反射防止膜５２が設けられる。
【００８２】
詳述すると、反射防止膜５２は、透明基板３１の下面３１Ｄにおいては、少なくとも撮影視野領域２２の全域に設けられると共に、透明基板３１の上面３１Ｕにおいては、有機ＥＬ層１３３、１３４、及び接着剤層３５が積層される部分以外のほぼ全域に設けられる。すなわち、透明基板３１の上面３１Ｕにおいて、反射防止膜５２は、透明基板３１の上面３１Ｕ、陽極線１２６ａ、及び陰極線１２７ａの上面に被膜される。また、反射防止膜５２は、封止部材３２において、その上面３２Ｕの全域に設けられると共に、対向面３２Ａの凹陥部３８が設けられた部分、及び接着層３５に接着する部分以外の透明部分の全域に被膜される。なお、反射防止膜５２は、例えばMgF2、シリカエアロゲル等によって形成される。
【００８３】
本実施形態では、反射防止膜５２によって、透明基板３１及び封止部材３２における反射が低減されることにより、上述した干渉縞の発生が防止される。また、反射防止膜５２を設けることにより、透明基板３１及び封止部材３２の透過率を向上させることができるので、被写体像の品位を向上させることができる。
【００８４】
なお、本実施形態においては、被写体からの光が通る光路を横断する封止部材３２の両面（すなわち、図１２においては上面３２Ｕ、対向面３２Ａ）、及び透明基板３１の両面（すなわち、上面３１Ｕ、下面３１Ｄ）の四面のうち、いずれか一面に反射防止膜５２が設けられれば良い。上記四面のうち一面のみに反射防止膜５２が設けられれば、対向面３２Ａで反射する反射光と、透明基板３１の上面３１Ｕで反射する反射光との振幅を異ならせることができるので、干渉縞のコントラストが低下し、干渉縞の発生を低減することができる。
【００８５】
ただし、この場合、図１３に示すように、封止部材３２の対向面３２Ａのみに反射防止膜５２が被膜されることが好ましい。封止部材３２には、有機ＥＬ層が積層されないため透明基板２１に比べ反射防止膜５２が被膜しやすく、また反射防止膜５２が対向面３２Ａに設けると反射防止効果が高いからである。
【００８６】
図１４は、本発明の第７の実施形態について説明するための図である。本実施形態の発光表示部１６の構成は、位相差板付き偏光板５３が設けられたこと以外は、第２の実施形態と同様であるが、勿論これに限定されるわけではない。
【００８７】
上述したように、第２〜４、及び第６の実施形態においては、透明基板３１の接眼側には開口部５１を有する遮光マスク５０が設けられるが、本実施形態では、遮光マスク５０の開口部５１が設けられる部分に、図１４に示すように、位相差板付き偏光板５３が設けられる。
【００８８】
本実施形態では、開口部５１に位相差板付き偏光板５３が設けられることにより、開口部５１から発光表示部１６内に入射される外部光は、円偏光される。したがって、開口部５１から入射される外部光の一部は、非透明電極部（陰極端子部１２７ｂ）で反射されるが、その反射光は、再び開口部５１を介して発光表示部１６の外部に出射されない。一方、第２の有機ＥＬ層１３４から発せられた光は、陰極端子部１２７ｂで反射した光を含め、開口部５１を介して発光表示部１６の外部に出射される。これにより、本実施形態では、情報表示部２３における表示コントラストを向上させ、視認性の高い表示を実現することができる。
【００８９】
図１５、１６は、本発明に係る第８の実施形態を示す模式的な断面図である。第１乃至第４、及び第６乃至第７の実施形態では、封止部材３２の対向面３２Ａには、凹陥部３８が形成されるのみであったが、本実施形態では、対向面３２Ａには第１の凹陥部３８Ａと第２の凹陥部３８Ｂが形成される。以下、第８の実施形態について、第２の実施形態との相違点を中心に説明する。
【００９０】
第８の実施形態において、封止部材３２の対向面３２Ａには、周辺部より凹陥し、底面３８Ｃが上面３１Ｕに平行に平面状に形成された第１の凹陥部３８Ａと、第１の凹陥部３８Ａ内において、第１の凹陥部３８Ａよりさらに凹陥する第２の凹陥部３８Ｂとが形成される。第１の凹陥部３８Ａの底面３８Ｃは、透過面として形成される。
【００９１】
第１の凹陥部３８Ａは、図１５に示すように上方から見ると周辺部より矩形状に凹陥されており、これにより周辺部は第１の凹陥部３８Ａを取り囲む四角枠状の突出部３２Ｃとして形成される。突出部３２Ｃの先端面３２Ｄは、接着剤層３５を介して、上面３１Ｕに接着され、これにより封止部材３２と透明基板３１との間に、密閉空間３９が形成される。第２の凹陥部３８Ｂは、第２の実施形態の凹陥部３８と同様に、上方から見ると矩形状に形成され、情報表示領域２３に重ねられて配置され、第２の発光層１３４及び端子部１２６ａ、１２７ｂを挟んで透明基板３１とは反対側に配置される。第２の凹陥部３８Ｂの内部には第２の実施形態の凹陥部３８と同様に吸着剤４０が配置される。
【００９２】
図１５に示すように、上方から見ると、第１の凹陥部３８Ａの内側に撮影視野領域２２が配置される。すなわち、封止部材３２において、撮影視野領域２２に対応する部分は、第１の凹陥部３８Ａに形成され、これにより被写体からの光は、透過面である第１の凹陥部３８Ａの底面３８Ｃを介して、ファインダー窓１７（図１参照）内に入射される。
【００９３】
第１の凹陥部３８Ａの底面３８Ｃと、透明基板３１の上面３１Ｕとの離間距離Ｄ１は、例えば２５μｍ以上に設定される。離間距離Ｄ１がこのように設定されることにより、撮影視野領域２２において干渉縞が生じることが防止されるので、ファインダー窓１７において被写体を鮮明に観察することができる。
【００９４】
一方、突出部３２Ｃの先端面３２Ｄと上面３１Ｕとの離間距離Ｄ２は短くすることが可能であり、封止部材３２の先端面３２Ｃを透明基板３１の上面３１Ｕにスペーサを介さずに接着剤によって直接接着させることができる。すなわち、第２の実施形態における接着剤層３５では、封止部材３２とスペーサ、及び透明基板３１とスペーサの間が接着剤によって接着されていたため、接着面が２面形成されていた。しかし、本実施形態では、先端面３２Ｃと上面３１Ｕとの間のみが接着剤によって接着され、接着面が１面となるので、接着面が少なくなり、密閉空間３９の気密性を第２の実施形態より高めることができる。
【００９５】
本実施形態における封止部材３２は、例えば平板状の透明ガラス基材がエッチング加工され第１の凹陥部３８Ａが成形された後、第１の凹陥部３８Ａの一部がさらにエッチング加工されることにより第２の凹陥部３８Ｂが成形されて得られる。エッチング加工により第１の凹陥部３８Ａが成形されるので、第１の凹陥部３８Ａの底面３８Ｃは透過面にすることができる。但し、第２の凹陥部３８Ｂは第２の実施形態と同様にブラスト加工により成形されても良い。また、本実施形態において封止部材３２はガラスモールドにより成形されても良い。以上の方法により、第２の凹陥部３８Ｂの底面３８Ｄはスリ面に形成されていても透過面に形成されていても良い。
【００９６】
以上のように、本実施形態では、封止部材３２に第１及び第２の凹陥部を形成することにより、接着剤層の厚さを薄くすることができ、密閉空間３９の気密性を高めることができる。また、撮影視野領域２２では、透明基板３１と封止部材とを所定の距離に離間させることができるので、撮影視野領域２２で干渉縞が発生することもない。
【００９７】
なお、第８の実施形態は、第２の実施形態から改変された態様であったが、第１、第３〜４、及び第６〜７の実施形態から改変された態様であっても良く、例えば第２の凹陥部３８Ｂは上方から見るとコの字形状や四角枠形状に形成されても良い。また、第２の凹陥部３８Ｂは、本実施形態ではファインダー視野領域２１内に形成されるが、第２の凹陥部３８Ｂの一部又は全部が、ファインダー視野外領域２４に形成されても良い。但し、このような場合も、封止部材３２において撮影視野領域２２に対応する部分は、第１の凹陥部３８Ａに形成される。撮影視野領域２２に対応する部分に、例えば突出部３２Ｃが形成されると、撮影視野領域２２において干渉縞が発生することとなり、被写体観察が適切に行えなくなるからである。なお、第６及び７の実施形態のように、反射防止膜や位相差板付き偏光板が、透明基板３１や封止部材３２に適宜設けられていても良い。
【００９８】
なお、第１乃至第８の実施形態においては、各有機ＥＬ層３３Ｒ、３３Ｇ、３３Ｂ等は、単一色の有機発光層から成り、発光色を変化させることはできないが、各有機ＥＬ層に複数の有機発光層が設けられ、発光色が変化させられるようにしても良い。例えば、各有機発光層を異なる材料で形成し、又は各有機発光層に異なる蛍光色素をドープして、印加電圧を調整することにより、発光色が変化されるようにしても良い。また、例えば電界の印加する方向を変化させることによって、発光色が変化されるようにしても良い。この場合、例えば、有機ＥＬ層は陽極側から正孔輸送層、有機発光層、ホールブロッキング層、有機発光層、電子輸送層等が積層されて構成される。また、正孔輸送層、有機発光層との間にさらにホールブロッキング層を備えていても良い。さらには、正孔輸送層、ホールブロッキング層、有機発光層、電子ブロッキング層、有機発光層、電子輸送層等が積層されて構成されても良い。
【図面の簡単な説明】
【００９９】
【図１】カメラのファインダー光学系の平面図である。
【図２】第１の実施形態における発光表示部の平面図である。
【図３】第１の実施形態における発光表示部の断面図である。
【図４】第２の実施形態における発光表示部の平面図である。
【図５】第２の実施形態における発光表示部の平面図の拡大図である。
【図６】第２の実施形態における発光表示部の中央部の断面図である。
【図７】第３の実施形態における発光表示部の平面図である。
【図８】第３の実施形態における発光表示部の断面図である。
【図９】第４の実施形態における発光表示部の平面図である。
【図１０】第５の実施形態における発光表示部の平面図である。
【図１１】第５の実施形態における発光表示部の断面図である。
【図１２】第６の実施形態における発光表示部の断面図である。
【図１３】第６の実施形態における発光表示部の変形例を示す断面図である。
【図１４】第７の実施形態における発光表示部の断面図である。
【図１５】第８の実施形態における発光表示部の平面図である。
【図１６】第８の実施形態における発光表示部の断面図である。
【符号の説明】
【０１００】
１０  ファインダー装置
１６  発光表示部
１７  ファインダー窓
２１  ファインダー視野領域
２２  撮影視野領域
２３  情報表示領域
２４  ファインダー視野外領域
２６、１２６  陽極
２７ａ  第１の陰極
２７ｂ  第２の陰極
３１  透明基板
３２  封止部材
３３Ｒ、３３Ｇ、３３Ｂ、１３３  第１の有機ＥＬ層
３４Ｒ、３４Ｇ、３４Ｂ、１３４  第２の有機ＥＬ層
３８  凹陥部
３８Ａ  第１の凹陥部
３８Ｂ  第２の凹陥部
４０  吸着剤
５０  遮光マスク
５１  開口部
５２  反射防止膜
５３  位相差板付き偏光板
１２７  陰極
【図１】
2007334282.tif 000004
【図２】
2007334282.tif 000005
【図３】
2007334282.tif 000006
【図４】
2007334282.tif 000007
【図５】
2007334282.tif 000008
【図６】
2007334282.tif 000009
【図７】
2007334282.tif 000010
【図８】
2007334282.tif 000011
【図９】
2007334282.tif 000012
【図１０】
2007334282.tif 000013
【図１１】
2007334282.tif 000014
【図１２】
2007334282.tif 000015
【図１３】
2007334282.tif 000016
【図１４】
2007334282.tif 000017
【図１５】
2007334282.tif 000018
【図１６】
2007334282.tif 000019